(57)【要約】  【課題】斬新な役物動作を実現して、演出効果が高められる遊技機を提供する。  【解決手段】役物装置１７は、ベース部材３０に装着された軟質樹脂製の役物３２と、役物３２を変形させるように駆動する可動部５３ｂを有する駆動機構３５とを備え、役物３２は、変形可能な役物本体４０と、役物本体４０から裏側へ延びて可動部５３ｂに連結された連結部４４とを有する。駆動機構３５は、連結部４４が延びる方向に沿った方向へ可動部５３ｂを往復移動させる。連結部４４を挟持固定する１対の挟持部材６０，６１を設け、この１対の挟持部材６０，６１を介して連結部４４を可動部５３ｂに連結する。【選択図】  図８
2014221101.tif 000002
【特許請求の範囲】
【請求項１】
ベース部材に装着された軟質樹脂製の役物と、
前記役物を変形させるように駆動する可動部を有する駆動機構とを備え、
前記役物は、
変形可能な役物本体と、
前記ベース部材に固定された固定部と、
前記役物本体から裏側へ延びて前記可動部に連結された連結部とを有することを特徴とする遊技機。
【請求項２】
前記駆動機構は、前記連結部が延びる方向に沿った方向へ前記可動部を往復移動させることを特徴とする請求項１に記載の遊技機。
【請求項３】
前記連結部を挟持固定する１対の挟持部材を備え、
前記１対の挟持部材を介して前記連結部が前記可動部に連結されたことを特徴とする請求項１又は２に記載の遊技機。
【請求項４】
前記連結部にその長さ方向へ延びる１又は複数のリブを設けたことを特徴とする請求項１〜３の何れか１項に記載の遊技機。
【発明の詳細な説明】
【技術分野】
【０００１】
本発明は遊技機に関し、特に軟質樹脂製の役物を変形させる技術に関する。
【背景技術】
【０００２】
従来、パチンコ遊技機等の遊技機には、遊技性、並びに遊技興趣を高めるために、遊技演出を行う演出装置が設けられている。近年主流の機種では、演出装置として、様々な演出画像（主に動画）を表示させる画像表示装置が設けられているが、その他に、役物を動作させる役物装置（例えば、特許文献１参照）が公知である。
【０００３】
特許文献１の役物装置には、前方へ向く顔役物と、この顔役物の顔面を形成する軟質樹脂製の役物本体を変形させるように駆動する駆動機構が設けられている。役物本体は薄肉状に形成され、この役物本体の裏面に駆動機構の可動部が接着されている。駆動機構によりその可動部を役物本体の面に沿った方向（左右方向や前後方向）へ移動させることで、役物本体の一部が、例えば、眉間に皺を作るように、或いは口を開けるように変形する。
【先行技術文献】
【特許文献】
【０００４】
【特許文献１】特開２０１３−９９２０号公報
【発明の概要】
【発明が解決しようとする課題】
【０００５】
特許文献１の役物装置では、軟質樹脂製の変形可能な役物本体が薄肉状に形成され、その役物本体の裏面に直接、駆動機構の可動部が接着され、駆動機構により役物本体を変形させる駆動力は可動部から緩衝されることなく役物本体に入力される。故に、役物本体を繰返し変形させると、特に役物本体が遊技機から発生する熱により高温になる場合、役物本体（役物本体のうち可動部が接着された部位、変形が生じる部位やその周辺部位等）が疲労により損傷（破断）し易くなる。
【０００６】
更に、役物本体と可動部との接着強度を高めるために、その接着面積を大きくすると、役物本体において自在に変形させることができない部位（少なくとも可動部が接着された部位）が大きくなり、役物本体を変形させる自由度が小さくなる。また、役物本体裏面の比較的複雑な形状の取付面に、その取付面の形状を保持するように可動部を接着するためには、その可動部の接着面を取付面の形状に応じた形状に成形する必要があるし、可動部の接着面を取付面に位置決めして接着する作業も煩雑になる。
【０００７】
しかも、駆動機構によりその可動部を役物本体の面に沿った方向へ移動させるため、この可動部によって、その移動量に応じた量、役物本体が部分的に引伸ばされることになり、その引伸ばし量について、役物本体の強度や耐久性等を加味して、それほど大きくすることはできない。つまり、役物本体のうち可動部周辺の一部分を僅かに変形させることしかできず、役物本体を大きくダイナミックに変形させることが困難になる。
【０００８】
本発明は上記課題を改善できる遊技機を提供することである。
【課題を解決するための手段】
【０００９】
第１の発明（遊技機(1) ）は、ベース部材(30)に装着された軟質樹脂製の役物(32)と、前記役物(32)を変形させるように駆動する可動部(53b) を有する駆動機構(35)とを備え、前記役物(32)は、変形可能な役物本体(40)と、前記ベース部材(30)に固定された固定部(41,42,43)と、前記役物本体(40)から裏側へ延びて前記可動部(53b) に連結された連結部(44)とを有することを特徴とする。
【００１０】
第２の発明は、第１の発明において、前記駆動機構(35)は、前記連結部(44)が延びる方向に沿った方向へ前記可動部(53b) を往復移動させることを特徴とする。
【００１１】
第３の発明は、第１又は第２の発明において、前記連結部(44)を挟持固定する１対の挟持部材(60,61) を備え、前記１対の挟持部材(60,61) を介して前記連結部(44)が前記可動部(53b) に連結されたことを特徴とする。
【００１２】
第４の発明は、第１〜第３の発明の何れか１つにおいて、前記連結部(44)にその長さ方向へ延びる１又は複数のリブ(44a) を設けたことを特徴とする。
【発明の効果】
【００１３】
本発明によれば、斬新な役物動作を実現して、演出効果を高めることができる。
【図面の簡単な説明】
【００１４】
【図１】本発明の実施例に係るパチンコ遊技機の正面図である。
【図２】パチンコ遊技機の遊技盤の正面図である。
【図３】パチンコ遊技機の制御系のブロック図である。
【図４】役物装置の前面側の斜視図である。
【図５】役物装置の周囲カバーを省略した構造の前面側の斜視図である。
【図６】役物装置の周囲カバーを省略した構造の前面側の分解斜視図である。
【図７】役物装置の周囲カバーを省略した構造の後面側の分解斜視図である。
【図８】役物装置のベース部材、役物、駆動機構等の一部切欠き状態の平面図である。
【図９】役物装置のベース部材、基板、駆動機構等の前面側の分解斜視図である。
【図１０】役物装置のベース部材、一部を分解した駆動機構等の前面側の斜視図である。
【図１１】駆動機構の一部の前面側の分解斜視図である。
【００１５】
以下、発明を実施するための形態について実施例に基づいて説明する。
【実施例】
【００１６】
図１、図２に示すように、パチンコ遊技機１には、遊技ホールの島構造に取付けられる外枠（図示略）に開閉枠２（内枠２）が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部に、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１７】
開閉扉３には、窓３ａの下側に遊技球を貯留する上皿５ａと下皿５ｂとを有する皿ユニット５が設けられ、その皿ユニット５に遊技者が操作可能な演出ボタンＳＷ６（「ＳＷ」はスイッチを意味する）と発射ハンドル７とが装着されている。発射ハンドル７が回動操作されると、上皿５ａから発射位置に導入された遊技球が発射され、上皿５ａに複数の遊技球が貯留されている場合には、複数の遊技球が約0.6 秒間隔で連続発射される。発射された遊技球はガイドレール８で案内され遊技領域４ａの上部に導入される。
【００１８】
図２、図３に示すように、遊技領域４ａには、多数の障害釘４ｂの他に、非開閉式の第１始動口１０と、開閉式の第２始動口１１ａを有する始動口装置１１と、ゲート１２と、開閉式の大入賞口１３ａを有する大入賞口装置１３と、複数（４つ）の一般入賞口１４とが、夫々遊技球が通過（入賞）可能に図示の配置で設けられている。第１始動口１０、ゲート１２、複数の一般入賞口１４には、夫々、そこに入賞した遊技球を検出する第１始動口ＳＷ１０ａ、ゲートＳＷ１２ａ、複数の一般入賞口ＳＷ１４ａが付設されている。
【００１９】
始動口装置１１は、第２始動口１１ａと、第２始動口１１ａを開閉する開閉部材１１ｂと、第２始動口１１ａに入賞した遊技球を検出する第２始動口ＳＷ１１ｃと、開閉部材１１ｂを開閉駆動する第２始動口ＳＯＬ１１ｄ（「ＳＯＬ」はソレノイドアクチュエータを意味する）とを有し、第２始動口１１ａは、通常は遊技球が入賞し難い（入賞不可能な）閉状態になり、この閉状態と遊技球が入賞し易い開状態とに作動し得る。
【００２０】
大入賞口装置１３は、大入賞口１３ａと、大入賞口１３ａを開閉する開閉部材１３ｂと、大入賞口１３ａに入賞した遊技球を検出する大入賞口ＳＷ１３ｃと、開閉部材１３ｂを開閉駆動する大入賞口ＳＯＬ１３ｄとを有し、大入賞口１３ａは、通常は遊技球が入賞し難い（入賞不可能な）閉状態になり、この閉状態と遊技球が入賞し易い開状態とに作動し得る。
【００２１】
遊技領域４ａに発射された遊技球が、入賞口１０，１１ａ，１３ａ，１４の何れかに入賞した場合、遊技球１個の入賞につき入賞口１０，１１ａ，１３ａ，１４毎に設定された数（数個〜10数個）の遊技球が賞球として上皿５ａに払出され、上皿５ａが遊技球で満杯の場合には下皿５ｂに払出される。遊技球が入賞口１０，１１ａ，１３ａ，１４の何れにも入賞しなかった場合、最終的に排出口９から遊技領域４ａの外部へ排出される。
【００２２】
遊技球が始動口１０，１１ａに入賞した場合には大当り抽選が行われ、その大当り抽選で当選すると、大入賞口１３ａが開放する特別遊技（大当り遊技）が発生し、遊技球がゲート１２を通過した場合には当り抽選が行われ、その当り抽選で当選すると、第２始動口１１ａが開放する補助遊技が発生する。
【００２３】
遊技盤４にはセンタ役物１５が取付けられ、このセンタ役物１５に遊技演出用の画像表示装置１６と本願特有の役物装置１７とが装備されている。センタ役物１５は、その枠体１５ａが遊技盤４に比較的大きく形成されたセンタ開口部（図示略）に嵌合装着され、その枠体１５ａの下部には遊技球が転動するステージ１５ｂが形成されている。画像表示装置１６は、その画面をパチンコ遊技機１の前側からセンタ役物１５の枠体１５ａの内側を通して視認可能に配置されている。
【００２４】
遊技盤４の左下部に遊技表示盤１９が設けられ、この遊技表示盤１９は、第１特図表示器１９ａ、第２特図表示器１９ｂ、普図表示器１９ｃ、第１特図保留ランプ１９ｄ、第２特図保留ランプ１９ｅ、普図保留ランプ１９ｆを備えている。
【００２５】
第１特図表示器１９ａには第１特別図柄が変動可能に表示され、第１特図保留ランプ１９ｄには第１特図保留数が表示され、その第１特図保留数は４未満の場合に第１始動口１０に遊技球が入賞する毎に１加算される。第２特図表示器１９ｂには第２特別図柄が変動可能に表示され、第２特図保留ランプ１９ｅには第２特図保留数が表示され、その第２特図保留数は４未満の場合に第２始動口１１ａに遊技球が入賞する毎に１加算される。
【００２６】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第１特図保留数に関わらず、第２特図保留数が１減算されて第２特別図柄が変動開始され、その後の停止図柄で大当り抽選の結果が表示される。
【００２７】
普図表示器１９ｃには普通図柄が変動可能に表示され、普図保留ランプ１９ｆには普図保留数が表示され、その普図保留数は４未満の場合にゲート１２を遊技球が通過する毎に１加算される。普通図柄が変動停止状態で、普図保留数が１以上の場合、普図保留数が１減算されて普通図柄が変動開始され、その後の停止図柄で当り抽選の結果が表示される。
【００２８】
画像表示装置１６には、特図表示器１９ａ，１９ｂに特別図柄が変動表示されているときには、大当り抽選で当選する期待度を示唆する図柄変動演出が表示され、特別遊技が行われているときには、特別遊技を盛り上げる特別遊技演出が表示される。
【００２９】
パチンコ遊技機１の制御系について説明する。
図３に示すように、制御装置２０は、遊技制御基板２１、払出制御基板２２、演出制御基板２３、画像制御基板２４、ランプ制御基板２５を備え、これら制御基板２１〜２５に夫々ＣＰＵとＲＯＭとＲＡＭを含むコンピュータを備えて構成され、演出制御基板２３は更にＲＴＣ（「ＲＴＣ」はリアルタイムクロックを意味する）を備えている。
【００３０】
遊技制御基板２１のコンピュータは、第１，第２始動口ＳＷ１０ａ，１１ｃ、ゲートＳＷ１２ａ、大入賞口ＳＷ１３ｃ、複数の一般入賞口ＳＷ１４ａからの信号、払出制御基板２２からの制御情報（コマンド）を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２２、演出制御基板２３に制御情報を出力する。
【００３１】
払出制御基板２２のコンピュータは、遊技制御基板２１からの制御情報、払出球検出ＳＷ２６ｂ、球有り検出ＳＷ２６ｃ、満タン検出ＳＷ２６ｄからの信号を受けて、払出モータ２６ａを制御し、遊技制御基板２１に制御情報を出力する。演出制御基板２３のコンピュータは、遊技制御基板２１、画像制御基板２４、ランプ制御基板２５からの制御情報、演出ボタンＳＷ６からの信号を受けて、画像制御基板２４、ランプ制御基板２５に制御情報を出力する。
【００３２】
画像制御基板２４のコンピュータは、演出制御基板２３からの制御情報を受けて、画像表示装置１６、スピーカ２７を制御し、演出制御基板２３に制御情報を出力する。ランプ制御基板２５のコンピュータは、役物装置１７（後述の原点ＳＷ）からの信号、演出制御基板２３からの制御情報を受けて、役物装置１７（後述の電動モータとＬＥＤ）、枠ランプ２８ａ、盤ランプ２８ｂを制御し、演出制御基板２３に制御情報を出力する。
【００３３】
役物装置１７について詳細に説明する。
図２に示すように、役物装置１７は、画像表示装置１６の上側において、画像表示装置１６と同様に、パチンコ遊技機１の前側からセンタ役物１５の枠体１５ａの内側を通して、或いは枠体１５ａの内側において視認可能に配置されている。
【００３４】
図４〜図１１に示すように、役物装置１７は、センタ役物１５（又は遊技盤４）に固定されたベース部材３０と、ベース部材３０に固定された周囲カバー３１と、ベース部材３０に装着された軟質樹脂製（軟質合成樹脂製又はゴム製）の役物３２と、ベース部材３０に装着された左右２つの固定役物３３，３４（硬質合成樹脂製）と、役物３２を変形させるように駆動する左右２つの可動部５３ｂを有する駆動機構３５とを備えている。
【００３５】
図５〜図１０に示すように、ベース部材３０は、正面視にて上下長よりも左右長が長く、且つ左部の上下長が右部の上下長よりも多少長い鉛直平板状に形成されている。ベース部材３０の左部には、前面部に平滑な役物固定面３０ａが形成され、また、２つの位置決めピン３０ｃと３つの役物取付部３０ｅが設けられている。ベース部材３０の右部には、前面部に平滑な役物固定面３０ｂが形成され、また、２つの位置決めピン３０ｄと、３つの役物取付部３０ｆが設けられている。
【００３６】
ベース部材３０には矩形孔３０ｇが形成され、ベース部材３０の中央上端部には役物固定構造３６が設けられている。ベース部材３０の後面部にはプリント基板３７が取付けられ、このプリント基板３７の前面には複数のＬＥＤ３８が実装されている。ベース部材３０は透明の合成樹脂材料によりに形成され、複数のＬＥＤ３８からの光は、ベース部材３０を透過して、その前側に位置する役物３２に向けて照射される。周囲カバー３１は、役物３２及び固定役物３３，３４の上下両端側と右端側を覆うように設けられている。
【００３７】
図４〜図８に示すように、役物３２は、変形可能な役物本体４０と、ベース部材３０に固定された３つの固定部４１，４２，４３と、役物本体４０から後方（裏側）へ延びて駆動機構３５の２つの可動部５３ｂに夫々連結された左右２つの連結部４４とを備え、弾力の有るエラストマー（スチレン系エラストマー、ポリエステル系エラストマー、オレフィン系エラストマー等）により構成されている。役物３２は射出成形により成形されて、役物本体４０、固定部４１，４２，４３、連結部４４が一体形成されている。
【００３８】
役物本体４０は、心臓の一部を模して、薄肉状（数mmの厚さ）に、且つ前方へ膨出するドーム形状であって比較的複雑な複数の凹凸がある形状に形成されている。役物本体４０は、所定色（例えば、赤色系）に着色された半透明の合成樹脂材料（エラストマー）により形成され、複数のＬＥＤ３８からの光により所定色に発光するように電飾される。
【００３９】
固定部４１は、役物本体４０の左後端縁から左方へ延びる平板状に形成され、固定部４２は、役物本体４０の右後端縁から右方へ延びる平板状に形成されている。固定部４３は、役物本体４０の中央上端部からが後方へ延びる短い帯片状に形成されている。
【００４０】
左側の固定部４１には２つの位置決め孔４１ａが形成され、この２つの位置決め孔４１ａにベース部材３０の左側の２つの位置決めピン３０ｃが夫々係合して、固定部４１がベース部材３０の左側の役物固定面３０ａに面接触状に位置決めされ、左側の固定役物３３により固定されている。
【００４１】
右側の固定部４２には２つの位置決め孔４２ａが形成され、この２つの位置決め孔４２ａにベース部材３０の右側の２つの位置決めピン３０ｄが夫々係合して、固定部４２がベース部材３０の右側の役物固定面３０ｂに面接触状に位置決めされ、右側の固定役物３４により固定されている。
【００４２】
中央上側の固定部４３は、ベース部材３０の中央上端部に役物固定構造３６により固定されている。この役物固定構造３６においては、ベース部材３０に取付部３６ａが前方突出状に設けられ、この取付部３６ａに固定ピン３６ｂが上方突出状に設けられている。この固定ピン３６ｂが固定部４３に形成された固定孔４３ａに挿入され、固定ピン３６ｂの上端部に円形の取付板３６ｃがビス止めされている。
【００４３】
２つの連結部４４は、夫々前後方向に延びる比較的長い帯片状に形成され、相互に所定距離離隔させるように配置されて、この２つの連結部４４の前端が役物本体４０のうち前方へ最大又は最大近く膨出している部位の裏面に繋げられ、この２つの連結部４４の後部が、左右２つ役物連結構造４５により駆動機構３５の２つの可動部５３ｂに夫々連結されている。役物連結構造４５については後で詳しく説明する。
【００４４】
各連結部４４の前面部には、前後方向（連結部４４の長さ方向）へ延びる補強用のリブ４４ａが設けられている。尚、各連結部４４の後面部にも、前後方向へ延びる補強用のリブ４４ａを設けてもよい。
【００４５】
左右の固定役物３３，３４は、役物本体４０と同様に、夫々、比較的複雑な複数の凹凸がある形状に形成されるとともに、所定色（例えば、役物本体４０と同様の赤色系）に着色された半透明の合成樹脂材料により形成されている。
【００４６】
左側の固定役物３３には後方へ延びるピン状の３つの固定部３３ａが形成され、固定役物３３の右後端縁に押え部３３ｂが形成されている。３つの固定部３３ａがベース部材３０の左側の３つの役物取付部３０ｅに夫々ビス止めされて、押え部３３ｂにより役物３２の左側の固定部４１がベース部材３０の左側の役物固定面３０ａに押圧されている。
【００４７】
右側の固定役物３４には後方へ延びるピン状の３つの固定部３４ａが形成され、固定役物３４の左後端縁に押え部３４ｂが形成されている。３つの固定部３４ａがベース部材３０の右側の３つの役物取付部３０ｆに夫々ビス止めされて、押え部３４ｂにより役物３２の右側の固定部４２がベース部材３０の右側の役物固定面３０ｂに押圧されている。
【００４８】
図４〜図１１に示すように駆動機構３５は、電動モータ５０、カム部材５１、スライド部材５２、前記２つの可動部５３ｂを設けたシーソ部材５３を有し、電動モータ５０の駆動力をカム部材５１→スライド部材５２→シーソ部材５３へと伝達して、２つの可動部５３ｂを前後方向（２つの連結部４４が延びる方向に沿った方向）へ往復移動させる。
【００４９】
ベース部材３０の後面部には駆動系の取付ケース５５が固定され、この取付ケース５５に、電動モータ５０が下向きに取付られるとともに、スライド部材５２が前後方向へ移動自在にガイド支持されている。電動モータ５０の出力軸５０ａにカム部材５１が取付けられ、このカム部材５１のうち出力軸５０ａから偏心する部位に下方へ突出する係合部５１ａが設けられている。
【００５０】
スライド部材５２の左部に左右方向に長い係合長孔５２ａが形成され、この係合長孔５２ａにカム部材５１の係合部５１ａが移動自在に係合している。係合部５１ａが係合長孔５２ａに係合した状態で、カム部材５１が１回転できるように構成され、電動モータ５０によりカム部材５１が回転駆動されると、係合部５１ａと係合長孔５２ａによりスライド部材５２が前後方向へ往復移動される。スライド部材５２の右前部はベース部材３０の矩形孔３０ｇを貫通して、ベース部材３０の前面側に位置している。
【００５１】
シーソ部材５３はベース部材３０の前面側に装着され、その左右中央部が鉛直の支軸５２ａを介してベース部材３０に回動自在に支持されている。このシーソ部材５３の左右両端部が２つの可動部５３ｂをなし、この２つの可動部５３ｂには上方へ突出する左右２つの連結ピン５３ｃが夫々設けられている。
【００５２】
スライド部材５２の右前部には、左右方向に長い連結長孔５２ｂが形成され、この連結長孔５２ｂにシーソ部材５３の左側の連結ピン５３ｃが移動自在に係合している。スライド部材５２が前後方向へ往復移動されると、連結長孔５２ｂと連結ピン５３ｃによりシーソ部材５３が支軸５３ａを中心に往復回動される。これにより、シーソ部材５３の２つの可動部５３ｂは、一方が前方へ移動するときに他方が後方へ移動し、一方が後方へ移動するときに他方が前方へ移動するように往復移動される。
【００５３】
スライド部材５２には遮蔽板５２ｃが設けられ、この遮蔽板５２ｃを検出可能な光学センサ５４（原点ＳＷ５４）が取付ケース５５に取付けられている。例えば、スライド部材５２がその可動領域の中央に位置して、役物本体４０の変形量が小さくなる状態で、光学センサ５４は、その発光部と受光部との間が遮蔽板５２ｃにより遮蔽されて、駆動機構３５の原点位置を検知する。
【００５４】
役物連結構造４５について説明する。尚、左右２つの役物連結構造４５については、基本的に同じ構造であるので、左側の役物連結構造４５について説明し、右側の役物連結構造４５については同一符号を付して説明を省略する。
【００５５】
役物連結構造４５においては、役物３２の連結部４４を挟持固定する１対の平面視３角形状の挟持部材６０，６１が設けられ、この１対の挟持部材６０，６１を介して役物３２の連結部４４がシーソ部材５３の可動部５３ｂ（左端部）に連結されている。
【００５６】
下側の挟持部材６０には、中央部に筒状部６０ａが上方突出状に設けられ、左右両端部に１対のボス部６０ｂが上方突出状に設けられ、上側の挟持部材６１の中央部に孔６１ａが形成されている。挟持部材６０の筒状部６０ａが、連結部４４の後部に形成された連結孔４４ｂ、及び挟持部材６１の孔６１ａに挿入され、挟持部材６１が挟持部材６０の１対のボス部６０ｂに夫々ビス止めされている。
【００５７】
シーソ部材５３の連結ピン５３ｃが挟持部材６０の筒状部６０ａに挿入され、この連結ピン５３ｃの上端部に円形の取付板６２がビス止めされている。これにより、１対の挟持部材６０，６１が役物３２の連結部４４を挟持固定した状態を保持して、シーソ部材５３の可動部５３ｂに連結ピン５３ｃを中心に回動可能に連結されている。尚、左側の役物連結構造４５の連結ピン５３ｃは、前記のようにスライド部材５２にも連結されており、この点においては、右側の役物連結構造４５の連結ピン５３ｃと相違する。
【００５８】
以上説明した役物装置１７の作用・効果について説明する。
駆動機構３５によりそのシーソ部材５３が往復回動されると、この駆動機構３５による駆動力は、シーソ部材５３の前後方向へ往復移動する左側の可動部５３ｂから、役物３２の左側の連結部４４に入力され、シーソ部材５３の前後方向へ往復移動する右側の可動部５３ｂから、役物３２の右側の連結部４４に入力される。
【００５９】
左側の可動部５３ｂが前方へ移動する際には、左側の連結部４４により役物本体４０の左部が比較的大きく前方へ押出されるように変形し、このとき、右側の可動部５３ｂが後方へ移動し、右側の連結部４４により役物本体４０の右部が比較的大きく後方へ引込まれるように変形する。また、左側の可動部５３ｂが後方へ移動する際には、左側の連結部４４により役物本体４０の左部が比較的大きく後方へ引込まれるように変形し、このとき、右側の可動部５３ｂが前方へ移動し、右側の連結部４４により役物本体４０の右部が比較的大きく前方へ押出されるように変形する。
【００６０】
このように、役物本体４０の左部と右部とを交互に前後に変形させることで、役物本体４０により表現された心臓が伸縮して鼓動を打つリアルな動き、即ち斬新な役物動作を実現することができ、更に、複数のＬＥＤ３８からの光を役物本体４０に後側から照射して、役物本体４０を赤色系に発光させるように電飾することもできるので、演出効果を確実に高めることができる。
【００６１】
軟質樹脂製の役物３２は役物本体４０から後方（裏側）へ延びる連結部４４を有し、この連結部４４を駆動機構３５の可動部５３ｂに連結したので、駆動機構３５による駆動力を可動部５３ｂから連結部４４を介して役物本体４０に入力することができ、つまり、役物本体４０と同じ軟質樹脂製の連結部４４は、その連結部４４自体が適度に変形することで駆動機構３５による駆動力を適度に緩衝して役物本体４０に伝達することができる。
【００６２】
可動部５３ｂを役物本体４０に直接連結するのではなく、連結部４４を介して連結することで、役物本体４０を変形させる自由度を大きくすることができ、更に、役物本体４０の形状を複数の凹凸のある比較的複雑な形状にしても、連結部４４を容易に設けることができるので、その連結部４４に可動部５３ｂを容易に連結することができる。
【００６３】
駆動機構３５は、連結部４４が延びる方向に沿った方向（前後方向）へ可動部５３ｂを往復移動させるので、役物本体４０を無理に引伸ばすことなく、役物本体４０を前後に大きくダイナミックに変形させることが可能になり、これにより、前記のように斬新な役物動作を実現できる。
【００６４】
連結部４４を挟持固定する１対の挟持部材６０，６１を設け、この１対の挟持部材６０，６１を介して連結部４４を駆動機構３５の可動部５３ｂに連結したことで、駆動機構３５による駆動力を挟持部材６０，６１から連結部４４に分散させて入力でき、故に、連結部４４と可動部５３ｂとを連結する連結強度を高めることができ、また、連結部４４にその長さ方向へ延びるリブ４４ａを設けたので、連結部４４の強度を高めることができる。
【００６５】
ここで、役物本体４０を繰返し変形させても、特に役物３２がパチンコ遊技機１から発生する熱により高温になる場合でも、耐熱性に多少劣るエラストマーにより構成された役物３２（役物本体４０、連結部４４）が疲労により損傷（破断）し難いように、前記のように、役物本体４０から後方へ延びる連結部４４を１対の挟持部材６０，６１を介して可動部５３ｂに連結し、連結部４４にリブ４４ａを設けて、対処することができる。
【００６６】
その他、本発明の趣旨を逸脱しない範囲において、前記実施例に種々の変更を付加して実施が可能である。尚、本発明については、その他の種々のパチンコ遊技機、或いは、スロットマシン等の種々の遊技機に適用可能である。
【符号の説明】
【００６７】
１  パチンコ遊技機
３０  ベース部材
３２  役物
３５  駆動機構
４０  役物本体
４１，４２，４３  固定部
４４  連結部
４４ａ  リブ
５３ｂ  可動部
６０，６１  挟持部材
【図１】
2014221101.tif 000003
【図２】
2014221101.tif 000004
【図３】
2014221101.tif 000005
【図４】
2014221101.tif 000006
【図５】
2014221101.tif 000007
【図６】
2014221101.tif 000008
【図７】
2014221101.tif 000009
【図８】
2014221101.tif 000010
【図９】
2014221101.tif 000011
【図１０】
2014221101.tif 000012
【図１１】
2014221101.tif 000013